(57)【要約】【課題】  施工が簡単で、表面材を容易に交換可能なだけでなく、意匠性が高く、柔軟性があるトイレの壁面構造を提供することにある。【解決手段】  トイレ壁面１に取付けられてトイレ壁面１の表面を複数に区画する棒状のエラストマー製支持材２と、複数の区画の中に設けられる柔軟性を有するクッション材７と、クッション材７を隠蔽する布材等からなる表面材６とで構成され、表面材６は消臭機能と通気性と備え、その端部を支持材２に着脱自在に取付けたトイレの壁面構造とした。表面材６は通気性を持ち、柔軟性を持つため、クッション材７のクッション性を壁面に持たせることができ、且つ表面材だけ交換して部屋のアレンジも簡単に行なえる。【選択図】  図２
2005105667.tif 000002
【特許請求の範囲】
【請求項１】
トイレ壁面に取付けられて前記トイレ壁面の表面を複数に区画する支持材と、前記複数の区画の中に設けられるクッション材と、柔軟性を有し前記クッション材を隠蔽する表面材とで構成され、前記表面材の端部を前記支持材に着脱自在に取付けたことを特徴とするトイレの壁面構造。
【請求項２】
前記表面材を、通気性を備える繊維材としたことを特徴とする請求項１記載のトイレの壁面構造。
【請求項３】
前記表面材は、消臭機能を有することを特徴とする請求項１又は２記載のトイレの壁面構造。
【請求項４】
前記表面材を前記区画と略同じ面積とし、各区画毎に表面材を取付けたことを特徴とする請求項１〜３のいずれか１項に記載のトイレの壁面構造。
【請求項５】
前記支持材を棒状のエラストマー製としたことを特徴とする請求項１〜４のいずれか１項に記載のトイレの壁面構造。
【請求項６】
前記支持材は、長尺方向にスリットを設け、前記表面材の端部を前記スリットに差し込んで保持させたことを特徴とする請求項４又は５に記載のトイレの壁面構造。
【発明の詳細な説明】
【技術分野】
【０００１】
本発明は、トイレの壁面構造に関するものである。
【背景技術】
【０００２】
従来のトイレの壁面構造として、一枚物の壁パネル、例えば石膏ボードを張設し、この石膏ボードの表面にクロスや壁紙などを貼着することや、下地を塗布した上でタイルを敷設することによって化粧を施してなる壁構造が広く採用されている。これらの施工方法は熟練技術を要するため、簡単で確実な施工を可能にするために化粧板パネルを直接建材に接着して固定した方法などがあった（例えば特許文献１）。
【特許文献１】特開２００２−２１３５０号公報（第５頁、第１図）。
【発明の開示】
【発明が解決しようとする課題】
【０００３】
トイレ壁面には汚物による汚れの付着や湿気によって発生するカビが発生しやすい。これらは雑菌を繁殖させるために不衛生なだけでなく、壁面に染み付きやすいためにトイレ内の臭いが消えないという問題が発生する。これらの問題を解決するために、機能性建材を用いたものがあったが、建材や建具内に収納した機能材を容易に交換することが不可能であったため、機能が低下したままの機能材を長期間に亘って使用するために、機能を十分に発揮することができない問題があった。
【０００４】
また、トイレでは、特に集合住宅において、用便の音が外部に漏れるために安心して使用できないという問題があった。
【０００５】
さらに、高齢者や障害者がトイレで転倒した場合、壁に体をぶつけて怪我をするという問題があった。
【０００６】
上記の問題点を解決するために、本発明の課題は、施工が簡単で、表面材を容易に交換可能なだけでなく、意匠性が高く、柔軟性があるトイレの壁面構造を提供することにある。
【課題を解決するための手段】
【０００７】
上記のような目的を達成するために、請求項１では、トイレ壁面に取付けられて、トイレ壁面の表面を複数に区画する支持材と、前記複数の区画の中に設けられるクッション材と、柔軟性を有してクッション材を隠蔽する表面材とで構成され、表面材の端部を支持材に着脱自在に取付けたことで、施工性、意匠性、防音性、クッション性の向上を可能とした。
【０００８】
また、請求項２記載の発明によれば、請求項１の発明において、前記表面材を、通気性を備える繊維材としたことで、カビの発生を防ぎ、清潔に保つことを可能にした。
【０００９】
また、請求項３記載の発明によれば、請求項１又は２の発明において、表面材は、消臭機能を有することで、臭気を吸着脱臭することを可能にした。
【００１０】
また、請求項４記載の発明によれば、請求項１から３のいずれか１項の発明において、前記表面材を前記区画と略同じ面積とし、各区画毎に表面材を取付けたことで、表面材の大きさを統一できるため、施工および交換を容易にした。
【００１１】
また、請求項５記載の発明によれば、前記支持材を棒状のエラストマー製としたことで、表面材の施工および交換を容易にした。
【００１２】
また、請求項６記載の発明によれば、前記支持材は、長尺方向にスリットを設け、前記表面材の端部を前記スリットに差し込んで保持させたことで、固定用部材を追加することなく取り付けることを可能にした。
【発明の効果】
【００１３】
本発明によれば、請求項１に示したように、表面材を着脱自在に取り付けた構成なので施工性が良く、かつ取り替えが可能であり、表面材を自由に選択できるためにトイレ空間の意匠性が高い。また、クッション材の防音性により、用便の音が外部に漏れるのを防止する効果がある。さらに、壁にクッション性を持たせることができるために、高齢者や障害者がトイレで転倒した場合に安全である。
【００１４】
また、湿度が高いときは表皮材の通気性が良いことでクッション中の水分を吸収し、湿度が低いときにはクッション中の水分を室内に放出するので、調湿効果がある。
【００１５】
また、表面材に消臭機能を備えたことで、消臭効果がある。
【００１６】
また、表面材の大きさを統一できるため、施工および交換を容易にする効果がある。
【００１７】
また、支持材を棒状のエラストマー製としたことで、表面材を取り付け易く、取り外し易い効果がある。
【００１８】
また、スリットに表面材を挿入するだけで取り付けることが出来るため、施工性が良いという効果がある。
【発明を実施するための最良の形態】
【００１９】
図面によって本発明の一具体例を説明する。
図１に本発明のトイレルームの簡略斜視図、図２に本発明の壁面構造の一部の断面図を示す。
トイレルームの壁面１は支持材２により同サイズの複数の区画に分割され、各区画の中にはクッション材７を設け、クッション材７を表面材６で隠蔽している。そして、表面材６の端部は支持材２に着脱自在に取り付けている。
【００２０】
クッション材７は、ラバーフォームやウレタンフォーム等の樹脂発泡体、繊維集積材と発泡樹脂体を積層した複合積層体などが好適であるが、吸音性、吸湿性、耐衝撃性の高い材料であれば良い。
【００２１】
表面材６は、その色や素材を自由に選択できる。例えば、日本調にするなら着物風の表面材を取り付け、欧米調にするなら本皮の表面材を取り付けるなど、トイレ空間の雰囲気を変えることができる。
【００２２】
表面材６として、通気性を備える繊維材を使うのが好ましい。具体的には、織物、不織布などの通風性の良い布が好適であるが、通風可能な面材であればいずれでもよい。これにより、クッション材の調湿効果がもたらされる。
【００２３】
また、表面材６には消臭機能を持たせることもできる。表面材６として、例えば、繊維形成能を有する熱可塑性高分子化合物と一定の吸着剤を主成分とする繊維原料を溶融紡糸して得られる繊維状脱臭剤や、後加工で消臭加工をするものとして、脱臭剤をポリウレタン系樹脂組成物を介して付着させる脱臭布帛や、水不溶性消臭剤をポリエステル系共重合樹脂を介して付与し、さらにポリウレタン系樹脂によって被覆された消臭性を有するポリエステル系繊維構造物などが好適であるが、空気中の水蒸気、臭気、有害物質など環境に影響を与える物質を吸収あるいは吸着する機能材であればいずれでもよい。
【００２４】
表面材６は前述した区画と略同じ面積とし、各区画毎に表面材６を取付ける。トイレを分割して得られた一区画の高さや幅は、取り付け、取り外しが可能な大きさであればいずれの寸法でもよい。
【００２５】
支持材２は外枠としての構造強度を確保できる材料であれば、金属製、木製、プラスチック製、これらの組み合わせ等、いずれでもよいが、エラストマー製が好適である。熱可塑性エラストマーとは、常温でゴム弾性を示すが、高温では可塑化され、成形可能となる高分子材料であり、このような熱可塑性エラストマーとしては、例えば、ポリスチレン系熱可塑性エラストマー（ＳＤＣ）、ポリオレフィン系熱可塑性エラストマー（ＴＰＯ）、ポリ塩化ビニル系熱可塑性エラストマー（ＴＰＶＣ）、ポリウレタン系熱可塑性エラストマー（ＴＰＵ）、ポリエステル系熱可塑性エラストマー（ＴＰＥＥ）、ポリアミド系熱可塑性エラストマー（ＴＰＥＡ）、１，２−ポリブタジエン系熱可塑性エラストマー（ＴＰＶＢ）、トランスポリイソプレン系熱可塑性エラストマー（ＴＰＩ）、フッ素ゴム系熱可塑性エラストマー、塩素化ポリエチレン系熱可塑性エラストマー（Ｔ−ＣＭ）、動的架橋系熱可塑性エラストマー（ＤＶＴＰＥ）などが挙げられる。
そして、これらの材料からなる支持材は、ある程度の長さを持つ長尺材であり、その長尺方向にスリット５を備えている。また、使用する際には、必要な長さに切断すればよい。
【００２６】
次に、施工方法について説明する。支持材２を壁材３にステープラ４で格子状に取り付ける。続いて、クッション７を格子の枠の中に収め、クッション７に表面材６を覆い被せた状態で、薄板などの治具を用いて表面材６の端部を支持材２のスリット５に差し込み固定する。
【００２７】
表面材６の取り外しは、支持材２のスリット５が内側に変形するように表面材６を格子の中心方向へ引っ張ることで簡単に行うことができる。
【００２８】
このように、この実施の形態で説明した壁面構造であれば、施工が簡単で、表面材を容易に交換可能なだけでなく、意匠性が高く、クッション性があるトイレの壁面構造を得ることができる。さらに、表面材には通気性があるので、調湿効果がある。さらに、消臭効果や、防音効果を持たせることもできる。
【図面の簡単な説明】
【００２９】
【図１】本発明のトイレの簡略斜視図である。
【図２】本発明の壁面構造の一部の断面図である。
【符号の説明】
【００３０】
１…トイレ壁面
２…支持材
３…壁材
４…ステープラ
５…スリット
６…表面材
７…クッション材
【図１】
2005105667.tif 000003
【図２】
2005105667.tif 000004